【事件の表示】
　平成１０年特許願第１７９０３５号「板材の折り曲げ成形方法」拒絶査定不服審判事件〔平成１２年　１月１１日出願公開、特開２０００−　　６１１４〕について、次のとおり審決する。
【結　論】
　本件審判の請求は、成り立たない。
【理　由】
１．手続の経緯
　本願は、平成１０年６月２５日に出願された特許出願であって、平成１６年２月６日付の拒絶査定に対し、同年３月１１日に拒絶査定不服審判の請求がなされたものである。
　
２．本願発明について
　本願の請求項１に係る発明（以下、「本願発明」という。）は、明細書の特許請求の範囲の請求項１に記載された事項により特定される、次のとおりのものである。
「板材に板材の表皮だけを残して裏面側から折り曲げ溝を穿設し、この折り曲げ溝の内面に接着剤を付与すると共に折り曲げ溝で谷折するように板材を略直角に曲げる板材の折り曲げ成形方法において、折り曲げ溝は、最も表皮側の底面の断面略二等辺三角形状の突部の両側に設けた表面側第１傾斜面及び表面側第２傾斜面と、表面側第１傾斜面及び表面側第２傾斜面の端部から表面や裏面と直交する方向に立ち上がる表面側第１縦面及び表面側第２縦面と、表面側第１縦面及び表面側第２縦面の裏面側の端部から裏面方向に向けて広がるように傾斜せる裏面側第１傾斜面及び裏面側第２傾斜面と、裏面側第１傾斜面の裏面側の端部から裏面まで表面や裏面と直交するように設けた裏面側第１縦面と、裏面側第２傾斜面の裏面側の端部から表面や裏面と平行に広がるように設けた裏面側横面と、裏面側横面の広がる側の端部から裏面まで表面や裏面と直交するように設けた裏面側第２縦面とを具備し、折り曲げ溝で谷折したとき、表面側第１傾斜面と表面側第１縦面とを重ねると共に表面側第２傾斜面と表面側第２縦面とを重ね、裏面側第１傾斜面と裏面側第２傾斜面とを重ね、裏面側第１縦面と裏面側横面とを重ねると共に裏面側第２縦面を裏面に重ねることを特徴とする板材の折り曲げ成形方法。」
　
３．引用文献
　これに対して、原査定の拒絶の理由に引用された特開平１０−６０２号公報（以下、「引用文献」という。）には、「木質板材の折り曲げ方法」に関し、図面と共に、以下の記載がある。
（イ）「【特許請求の範囲】
【請求項１】  木質板材に裏面側から表皮を残すように断面略Ｗ字状の折り曲げ溝を穿設すると共に折り曲げ溝の一方の側方の裏面側に断面略Ｌ字状の凹溝を折り曲げ溝に連続するように穿設し、折り曲げ溝の部分で木質板材を裏面側を内側にするように直角に折り曲げると共に凹溝に折り曲げ溝の他方の側方の裏面側に位置する角部を嵌合し、折り曲げ溝や凹溝に塗布した接着剤で接着することを特徴とする木質板材の折り曲げ方法。」
（ロ）「【０００７】
【発明の実施の形態】木質板材１は例えばＭＤＦボード、合板等の基材の表面側に突板、化粧シート等の表面層を一体に設けたものである。この木質板材１を直角に折り曲げるにはまず図１（ａ）の示すように表皮を残すように裏面側から折り曲げ溝２が穿設される。折り曲げ溝２は断面略Ｗ字状に穿設され、折り曲げ溝２の両側の側面２ａ，２ｂの間に断面三角形の突部４が形成される。側面２ａの側方の裏面側には断面略Ｌ字状の凹溝５が穿設されている。そして折り曲げ溝２及び凹溝５に接着剤７を塗布して木質板材１を直角に折り曲げ、プレスして図１（ｂ）のように接着する。このとき、側面２ａと突部４の側面４ａが突き合わされて接着され、側面２ｂと突部４の側面４ｂとが突き合わされて接着され、角部６が凹溝５に嵌合して接着される。」
（ハ）「【００１０】
（中略）第３の工程では図６に示すようにチップソーのような溝切り用鋸１５にて溝１４の底部に断面レ字状の溝１６が対称に穿設される。」
　そして、引用文献の【図１】（ａ）には、折り曲げ溝２の両側の側面２ａ，２ｂ、及び、断面略Ｌ字状の凹溝５の図面縦方向の面が木質板材１の表面や裏面と直交し、断面略Ｌ字状の凹溝５の図面横方向の面が木質板材１の表面や裏面と平行する点が図示されている。
　これらの記載及び図面の内容を総合すると、引用文献には、次の発明（以下「引用発明」という。）が開示されていると認めることができる。
「木質板材１に裏面側から表皮を残すように断面略Ｗ字状の折り曲げ溝２を穿設すると共に、折り曲げ溝２の両側の木質板材１の表面や裏面と直交する方向の側面２ａ，２ｂの間に断面三角形の突部４を形成し、折り曲げ溝２の一方の側方の裏面側に表面や裏面と平行する面と直交する面とからなる断面略Ｌ字状の凹溝５を折り曲げ溝２に連続するように穿設し、折り曲げ溝２の部分で木質板材１を裏面側を内側にするように直角に折り曲げ、側面２ａと突部４の側面４ａ、及び、側面２ｂと突部４の側面４ｂとを突き合わせるとともに、凹溝５に折り曲げ溝２の他方の側方の裏面側に位置する角部６を嵌合し、折り曲げ溝２や凹溝５に塗布した接着剤７で接着する板材の折り曲げ成形方法。」
　
４．対比
　そこで、本願発明と引用発明とを対比すると、引用発明における「木質板材１」は本願発明における「板材」に相当し、以下同様に、「突部４の側面４ａ」は「表面側第２傾斜面」に、「突部４の側面４ｂ」は「表面側第１傾斜面」に、「折り曲げ溝２の側面２ａ」は「表面側第２縦面」に、「凹溝５」の【図１】（ａ）における横方向の面は「裏面側横面」に、「凹溝５」の【図１】（ａ）における縦方向の面は「裏面側第２縦面」に、「折り曲げ溝２の部分で（中略）裏面側を内側にするように（中略）折り曲げ」は「折り曲げ溝で谷折」に、「突き合わせる」は「重ねる」にそれぞれ相当する。
　また、上記３．（ハ）の記載によれば、引用発明の「断面三角形の突部４」は対称に穿設された断面レ字状の溝１６によって形成されるから、引用発明の「断面三角形の突部４」の断面は略二等辺三角形状であると認められる。
　そして、引用発明において「凹溝５に折り曲げ溝２の他方の側方の裏面側に位置する角部６を嵌合」すれば、「凹溝５」の【図１】（ａ）における横方向の面が「角部６」の【図１】（ａ）における縦方向の面に、また、「凹溝５」の【図１】（ａ）における縦方向の面が「木質板材１」の裏面にそれぞれ「重ね」られることは明らかであり、引用発明における「折り曲げ溝２の側面２ｂ」のうち「角部６」でもある部分は本願発明における「裏面側第１縦面」に、その他の部分は「表面側第１縦面」にそれぞれ相当する。
　そうすると、両者は、
「板材に板材の表皮だけを残して裏面側から折り曲げ溝を穿設し、この折り曲げ溝の内面に接着剤を付与すると共に折り曲げ溝で谷折するように板材を略直角に曲げる板材の折り曲げ成形方法において、折り曲げ溝は、最も表皮側の底面の断面略二等辺三角形状の突部の両側に設けた表面側第１傾斜面及び表面側第２傾斜面と、表面側第１傾斜面及び表面側第２傾斜面の端部から表面や裏面と直交する方向に立ち上がる表面側第１縦面及び表面側第２縦面と、裏面まで表面や裏面と直交するように設けた裏面側第１縦面と、表面や裏面と平行に広がるように設けた裏面側横面と、裏面側横面の広がる側の端部から裏面まで表面や裏面と直交するように設けた裏面側第２縦面とを具備し、折り曲げ溝で谷折したとき、表面側第１傾斜面と表面側第１縦面とを重ねると共に表面側第２傾斜面と表面側第２縦面とを重ね、裏面側第１縦面と裏面側横面とを重ねると共に裏面側第２縦面を裏面に重ねることを特徴とする板材の折り曲げ成形方法。」である点で一致し、以下の点で相違する。
　
［相違点１］
　本願発明においては、板材に穿設された折り曲げ溝が、突部の両側に設けた表面側第１縦面及び表面側第２縦面の裏面側の端部から裏面方向に向けて広がるように傾斜する裏面側第１傾斜面及び裏面側第２傾斜面とを具備しており、折り曲げ溝で谷折したとき、裏面側第１傾斜面及び裏面側第２傾斜面とを重ねるのに対して、引用発明はそのような構成を有しない点。
　
５．判断
　板材の折り曲げ成形方法において、板材に穿設された折り曲げ溝に、突部の両側に設けた表面側第１縦面及び表面側第２縦面の裏面側の端部から裏面方向に向けて広がるように傾斜する裏面側第１傾斜面及び裏面側第２傾斜面とを具備させることにより、折り曲げ溝で谷折したとき、裏面側第１傾斜面及び裏面側第２傾斜面とが重なるように構成することは、例えば引用文献の段落【０００２】及び【図９】（引用文献記載のものの「面取り３」が本願発明の「裏面側第１傾斜面及び裏面側第２傾斜面」に相当する。）に従来例として示されるように周知の技術である。また、このような傾斜面同士が重ねられた部分に作用する力が分散することも、例えば、実願平３−１０２３４３号（実開平５−８７１３６号）のＣＤ−ＲＯＭの段落【０００９】及び【図２】（「枠材（１）の接合端」参照。）からも明らかなように、従来より広く知られている事項である。
　そうすると、相違点１に係る本願発明の構成は、引用発明に周知技術を適用することにより、当業者が容易に想到することができたものというべきである。
　そして、本願発明の作用効果も、引用発明及び周知技術から当業者が予測できる範囲のものである。
　
６．むすび
　したがって、本願発明は、引用発明及び周知技術に基づいて、当業者が容易に発明をすることができたものであり、特許法第２９条第２項の規定により特許を受けることができないから、本願の他の請求項に係る発明を検討するまでもなく、本願は拒絶されるべきものである。
　よって、結論のとおり審決する。